(57)【特許請求の範囲】
【請求項１】
衣類を収容したドラムに加熱空気を送り込み該ドラム内を通過した空気を冷却して除湿した後に乾燥風を循環させる乾燥運転を実行した後に、ドラムの回転を継続し冷風を該ドラム内に送り込むクールダウン運転を実行する衣類乾燥機において、
a)ドラムから排気される空気の温度を検出する温度検出手段と、
b)クールダウン運転中に前記温度検出手段による検出温度が第１の規定値以下であるか否かを判定する第１の温度判定手段と、
c)クールダウン運転時間の終了時点より所定時間遡った期間中に前記温度検出手段による検出温度が前記第１の規定値よりも高い第２の規定値を越えているか否かを判定する第２の温度判定手段と、
d)該第２温度判定手段にて検出温度が第２の規定値を越えていると判定されたときクールダウン運転時間を延長する運転時間延長手段と、
e)前記第１の温度判定手段にて検出温度が第１の規定値以下であると判定されるか又は所定のクールダウン運転時間が経過したときに、クールダウン運転を終了する運転制御手段と、を備え、
前記第２の温度判定手段は、クールダウン運転時間の終了時点より所定時間遡った期間中に前記温度検出手段による検出温度が所定時間連続して第２の規定値を越えているか否かを判定することを特徴とする衣類乾燥機。
【請求項２】
衣類を収容したドラムに加熱空気を送り込み該ドラム内を通過した空気を冷却して除湿した後に乾燥風を循環させる乾燥運転を実行した後に、ドラムの回転を継続し冷風を該ドラム内に送り込むクールダウン運転を実行する衣類乾燥機において、
a)ドラムから排気される空気の温度を検出する温度検出手段と、
b)クールダウン運転中に前記温度検出手段による検出温度が第１の規定値以下であるか否かを判定する第１の温度判定手段と、
c)クールダウン運転時間の終了時点より所定時間遡った期間中に前記温度検出手段による検出温度が前記第１の規定値よりも高い第２の規定値を越えているか否かを判定する第２の温度判定手段と、
d)該第２温度判定手段にて検出温度が第２の規定値を越えていると判定されたときクールダウン運転時間を延長する運転時間延長手段と、
e)前記第１の温度判定手段にて検出温度が第１の規定値以下であると判定されるか又は所定のクールダウン運転時間が経過したときに、クールダウン運転を終了する運転制御手段と、を備え、
前記運転時間延長手段は、クールダウン運転時間の延長動作を所定回数に制限することを特徴とする衣類乾燥機。
【請求項３】
衣類を収容したドラムに加熱空気を送り込み該ドラム内を通過した空気を冷却して除湿した後に乾燥風を循環させる乾燥運転を実行した後に、ドラムの回転を継続し冷風を該ドラム内に送り込むクールダウン運転を実行する衣類乾燥機において、
a)ドラムから排気される空気の温度を検出する温度検出手段と、
b)クールダウン運転中に前記温度検出手段による検出温度が第１の規定値以下であるか否かを判定する第１の温度判定手段と、
c)クールダウン運転時間の終了時点より所定時間遡った期間中に前記温度検出手段による検出温度が前記第１の規定値よりも高い第２の規定値を越えているか否かを判定する第２の温度判定手段と、
d)該第２温度判定手段にて検出温度が第２の規定値を越えていると判定されたときクールダウン運転時間を延長する運転時間延長手段と、
e)前記第１の温度判定手段にて検出温度が第１の規定値以下であると判定されるか又は所定のクールダウン運転時間が経過したときに、クールダウン運転を終了する運転制御手段と、を備え、
前記運転時間延長手段にて延長される前のクールダウン運転時間は、クールダウン運転前の乾燥運転の所要時間と、クールダウン運転開始直前又は直後の前記温度検出手段による検出温度とに基づいて決められることを特徴とする衣類乾燥機。
【発明の詳細な説明】
【０００１】
【発明の属する技術分野】
本発明は、衣類乾燥機に関する。
【０００２】
【従来の技術】
家庭用の衣類乾燥機は、湿った衣類を収容したドラム内に乾燥した熱風を送り込み、衣類から蒸発した水分を含む湿った熱風を冷却することにより除湿し、乾燥させた空気をヒータにて再加熱してドラムへ循環する構成となっている。ドラムは水平軸を中心にゆっくりと回転され、これによりドラム内の衣類は攪拌されてむらのない乾燥が実行される。
【０００３】
このような乾燥運転が終了した時点で、ドラム内の衣類の温度は高温（通常６０℃以上）になっている。このため、例えば、衣類に油や引火性物質が残留している場合、ドラムの回転を停止して高温の衣類をそのままドラム内に放置しておくと自然発火の恐れがある。そこで衣類乾燥機では、衣類の温度を下げた状態で運転を停止するために、乾燥運転に引き続きドラムを回転させつつ加熱していない空気をドラムに循環させるクールダウン運転を実行する。
【０００４】
【発明が解決しようとする課題】
上記クールダウン運転時間を長くするほど、より確実にドラム内の衣類の温度を下げることができる。反面、乾燥運転全体の所要時間の短縮化のためには、クールダウン運転時間はできる限り短いことが望ましい。そこで、従来の衣類乾燥機では、例えば、比較的長い所定のクールダウン運転時間を予め設定しておき、該運転時間が終了する以前であっても、所定時間連続してドラム内の温度が所定温度以下になったならばクールダウン運転を終了するようにしている。
【０００５】
しかしながら、クールダウン運転時にドラム内の温度が降下する速度は、ドラム内に収容された衣類の量やその繊維の種類、更に、外気温度により大きく影響を受ける。このため、条件によっては、所定のクールダウン運転時間を終了した時点でもドラム内の衣類の温度が十分に下がらない恐れがあった。また、このようなことを見越してクールダウン運転時間を設定すると、運転時間が非常に長くなる恐れがあった。
【０００６】
本発明は上記問題を解決するために成されたもので、その目的とするところは、クールダウン運転の所要時間をできる限り短縮し、且つ衣類の温度を確実に下げることができる衣類乾燥機を提供することにある。
【０００７】
【課題を解決するための手段】
上記課題を解決するために成された本発明の第１の衣類乾燥機は、衣類を収容したドラムに加熱空気を送り込み該ドラム内を通過した空気を冷却して除湿した後に乾燥風を循環させる乾燥運転を実行した後に、ドラムの回転を継続し冷風を該ドラム内に送り込むクールダウン運転を実行する衣類乾燥機において、
a)ドラムから排気される空気の温度を検出する温度検出手段と、
b)クールダウン運転中に前記温度検出手段による検出温度が第１の規定値以下であるか否かを判定する第１の温度判定手段と、
c)クールダウン運転時間の終了時点より所定時間遡った期間中に前記温度検出手段による検出温度が前記第１の規定値よりも高い第２の規定値を越えているか否かを判定する第２の温度判定手段と、
d)該第２温度判定手段にて検出温度が第２の規定値を越えていると判定されたときクールダウン運転時間を延長する運転時間延長手段と、
e)前記第１の温度判定手段にて検出温度が第１の規定値以下であると判定されるか又は所定のクールダウン運転時間が経過したときに、クールダウン運転を終了する運転制御手段と、を備え、
前記第２の温度判定手段は、クールダウン運転時間の終了時点より所定時間遡った期間中に前記温度検出手段による検出温度が所定時間連続して第２の規定値を越えているか否かを判定することを特徴としている。
【０００８】
本発明の第２の衣類乾燥機は、衣類を収容したドラムに加熱空気を送り込み該ドラム内を通過した空気を冷却して除湿した後に乾燥風を循環させる乾燥運転を実行した後に、ドラムの回転を継続し冷風を該ドラム内に送り込むクールダウン運転を実行する衣類乾燥機において、
a)ドラムから排気される空気の温度を検出する温度検出手段と、
b)クールダウン運転中に前記温度検出手段による検出温度が第１の規定値以下であるか否かを判定する第１の温度判定手段と、
c)クールダウン運転時間の終了時点より所定時間遡った期間中に前記温度検出手段による検出温度が前記第１の規定値よりも高い第２の規定値を越えているか否かを判定する第２の温度判定手段と、
d)該第２温度判定手段にて検出温度が第２の規定値を越えていると判定されたときクールダウン運転時間を延長する運転時間延長手段と、
e)前記第１の温度判定手段にて検出温度が第１の規定値以下であると判定されるか又は所定のクールダウン運転時間が経過したときに、クールダウン運転を終了する運転制御手段と、を備え、
前記運転時間延長手段は、クールダウン運転時間の延長動作を所定回数に制限することを特徴としている。
【０００９】
本発明の第３の衣類乾燥機は、衣類を収容したドラムに加熱空気を送り込み該ドラム内を通過した空気を冷却して除湿した後に乾燥風を循環させる乾燥運転を実行した後に、ドラムの回転を継続し冷風を該ドラム内に送り込むクールダウン運転を実行する衣類乾燥機において、
a)ドラムから排気される空気の温度を検出する温度検出手段と、
b)クールダウン運転中に前記温度検出手段による検出温度が第１の規定値以下であるか否かを判定する第１の温度判定手段と、
c)クールダウン運転時間の終了時点より所定時間遡った期間中に前記温度検出手段による検出温度が前記第１の規定値よりも高い第２の規定値を越えているか否かを判定する第２の温度判定手段と、
d)該第２温度判定手段にて検出温度が第２の規定値を越えていると判定されたときクールダウン運転時間を延長する運転時間延長手段と、
e)前記第１の温度判定手段にて検出温度が第１の規定値以下であると判定されるか又は所定のクールダウン運転時間が経過したときに、クールダウン運転を終了する運転制御手段と、を備え、
前記運転時間延長手段にて延長される前のクールダウン運転時間は、クールダウン運転前の乾燥運転の所要時間と、クールダウン運転開始直前又は直後の前記温度検出手段による検出温度とに基づいて決められることを特徴としている。
【００１１】
【発明の実施の形態及び発明の効果】
上記第１から第３の衣類乾燥機では、クールダウン運転期間中に、第１の温度判定手段にて検出温度が第１の規定値以下であると判定されると、運転制御手段はドラム内の衣類の温度が十分に下がったと判断し、所定のクールダウン運転時間が経過する以前であってもドラム回転及び送風を停止させてクールダウン運転を終了する。一方、第２の温度判定手段にて、クールダウン運転時間の終了時点より所定時間遡った期間中に検出温度が第２の規定値を越えていると判定されると、運転時間延長手段は、ドラム内の衣類の温度の低下が不十分であると判断し、クールダウン運転時間を一定時間だけ延長する。従って、クールダウン運転時間の終了時点より所定時間遡った期間中に検出温度が第２の規定値を越えていると判定されることなく該運転時間が経過した場合にも、運転制御手段はドラム回転及び送風を停止させてクールダウン運転を終了する。
【００１２】
第２の規定値は第１の規定値よりも適宜高い値に設定されるから、クールダウン運転の終了予定の間際になってドラム内の衣類の温度がまだ第２の規定値よりも高い状態にある場合には、クールダウン運転時間が延長されて、衣類の冷却を促進するべくドラム内に加熱されていない空気が送り込まれる。
【００１３】
従って、上記第１の衣類乾燥機によれば、例えば、衣類乾燥機の周囲温度が高い等の原因によりドラム内の温度の降下速度が遅い場合には、初期的に定められている運転時間よりも長くクールダウン運転が実行されるので、ドラム内の衣類の温度を確実に下げることができ、高い安全性を確保することができる。また、ドラム内の温度が短時間の間に下がったときには、所定のクールダウン運転時間が経過する以前であっても運転が終了するので、運転時間が無用に長引くこともない。
【００１４】
上記温度検出手段にて検出される空気の温度分布は必ずしも安定して均一になっていないから、検出温度の瞬間値はドラム内の衣類の温度を正確に反映しているとは限らない。そこで、上記第１の衣類乾燥機では、検出温度が所定時間連続して第２の規定値を越えているか否かを判定する構成とすることにより、判定がより正確に行なわれるようにしている。このため、運転時間が無用に長引くことを回避することができる。
【００１５】
また、上記衣類乾燥機では、一度クールダウン運転時間を延長した後に、延長されたクールダウン運転時間の終了時点より所定時間遡った期間中に検出温度が第２の規定値を越えていると判定されると、再びクールダウン運転時間を延長する。しかしながら、例えば周囲温度が異常に高い場合にはドラム内の温度が一定以下に下がらず、運転時間の延長を制限なく繰り返すと、運転が終了しないことが起こり得る。
【００１６】
第２の衣類乾燥機では、クールダウン運転時間の延長の回数を制限する構成としているので、周囲温度が異常に高い等の原因によりドラム内の温度が或る値以下に下がらないときには運転が打ち切られる。このため、いつまでも運転が終了しないという状態を回避することができる。
【００１７】
また、通常、乾燥運転に長時間を要するときは、ドラム内に収容された衣類の量が多く熱容量も大きいため、冷却されにくいと推定することができる。従って、第３の衣類乾燥機では、乾燥運転の所要時間と検出温度とにより、第１又は第２の規定値の温度にまで低下するのに時間を要すると予想される場合には初期のクールダウン運転時間を長く設定しておく。これにより、運転時間が無用に長引くことを回避することができる。
【００１８】
【実施例】
以下、本発明による衣類乾燥機の一実施例を図に基づいて説明する。まず、この衣類乾燥機の全体構成を図１の側面断面図を参照して説明する。衣類乾燥機１の機枠２の前面中央には衣類投入口３が設けられ、その開口はドア４により開閉される。機枠２の背面には後面板５が止着され、後面板５の略中央には外部空気の吸気口６が形成されている。一方、機枠２の下面には空気の排気口７が形成されている。機枠２内において、衣類投入口３を取り囲むように環状の板金製のドラム支持板８が取り付けられ、また後部には後面板５と所定間隔を保って横方向に支持板９が架設されている。この支持板９には一部を切り欠いたファンケーシング１０が固定されており、これにより機枠２内はファン室１１とドラム収容室１２とに区画されている。
【００１９】
ドラム収容室１２内には水平軸型のドラム１３が、前面開口を衣類投入口３に対向させた状態でドラム支持板８にフェルト等を介して支持され、後面側は主軸１４により回転自在に軸支されている。ドラム１３の背面にはリントフィルタ１６に被覆された空気出口１５が形成される一方、前面のドラム支持板８の下部には空気取入口１７が形成されている。支持板９にはドラム収容室１２とファン室１１とを連通する連通口１８が形成され、空気出口１５からの空気流が確実に連通口１８に至るようにシール部材１９がドラム１３と支持板９との間に取り付けられている。
【００２０】
ファン室１１内においては、主軸１４に円板状の合成樹脂製の両面ファン２０が固着され、ドラム収容室１２側に位置する循環ファン２０ａと後面板５側に位置する冷却ファン２０ｂとがそれぞれ放射状に表裏一体に形成されている。ファンケーシング１０内には両面ファン２０を囲むように隔壁２１が設けられ、この隔壁２１の略中央の円形開口に両面ファン２０を収容することにより、この両面ファン２０と隔壁２１とが相まってファン室１１内を乾燥風路２２と冷却風路２３とに区画している。両面ファン２０の周縁には乾燥風路２２へ向けて開口する同心状の回転溝が一体形成され、一方、隔壁２１の内周縁には冷却風路２３へ向けて開口する同心状の固定溝が形成されており、両面ファン２０の回転溝と隔壁２１の固定溝とは相互に非接触状態で遊嵌されている。すなわち、両面ファン２０の回転溝と隔壁２１の固定溝とはラビリンス結合を成している。このため、乾燥風路２２と冷却風路２３との間は空気の交換ができないようになっている。
【００２１】
乾燥風路２２の下部とドラム支持板８に形成されている空気取入口１７とは乾燥ダクト２４により連結されており、その内部の空気取入口１７付近にはヒータ２５が配置されている。このヒータ２５は、例えばハニカム形状の正特性サーミスタで構成されている。乾燥ダクト２４の最下部には、乾燥ダクト２４内に凝縮した除湿水を機外に排出するための排水口２６が設けられている。
【００２２】
機枠２内の底部にはモータ２７が配置されている。モータ２７は、ドラム１３の外周面に巻掛けられたＶベルト３２にプーリ３１を介して回転力を与える一方、プーリ２８、ファンベルト２９を介して冷却ファン２０ｂの中央に形成されたプーリ３０に回転力を与えている。また、Ｖベルト３２のスリップを防止するために、ドラム回転時にアイドラプーリ３３がＶベルト３２に適当な張力を加える。プーリ２８にはモータ２７の回転数を検出するための回転センサ３４が取り付けられている。
【００２３】
而して、乾燥運転時には、モータ２７の回転駆動力により、ドラム１３が低速で、両面ファン２０は高速でそれぞれ回転され、同時にヒータ２５に通電されて乾燥風が加熱される。これにより、循環ファン２０ａの回転で生起した風が、乾燥風路２２、乾燥ダクト２４、ドラム１３を通って循環し、熱風がドラム１３内を通過する際に衣類から水分を奪う。一方、冷却ファン２０ｂの回転により、外気が吸気口６から冷却風路２３内に導入され排気口７から排出される。このとき両面ファン２０自体が冷気により冷却される。ドラム１３を通過した後の水分を含む熱気は両面ファン２０に接触して冷却され、凝縮した水が乾燥風路２２の内壁を流下して排水口２６から排出される。
【００２４】
ドラム１３の空気出口１５の近傍には、ドラム１３から排気される空気の温度を検出するための出口温度センサ３５が配置されている。出口温度センサ３５は、例えばサーミスタのような感熱素子で構成されている。また、機枠２の前面下方には、種々の入力キーや表示器を備えた操作パネル３６が設けられている。この操作パネル３６の後方の機枠２内部には、合成樹脂製の基板ケース３７がビスにて取付られており、基板ケース３７には周囲温度の急激な変化の影響を受けにくい熱容量の大きな部材で構成された制御基板３８が内装されている。制御基板３８上には、後述するマイクロコンピュータ（以下「マイコン」という）や制御基板３８自体の温度を検出するための雰囲気温度センサ３９、その他の各種の電気部品が実装されている。
【００２５】
図２は、上記衣類乾燥機１の電気系構成を示す図である。制御の中心には、ＣＰＵ５１、ＲＯＭ５２、ＲＡＭ５３、タイマ５４、Ａ／Ｄ変換器５５等から成るマイコン５０が備えられており、ＲＯＭ５２に予め記憶されてる運転プログラムに従って後述の各部を制御することにより乾燥運転を実行する。マイコン５０には、操作パネル３６の入力キー類を含む入力キー回路６０、ドア４の開閉を検知するドアスイッチ６１、操作パネル３６に備えられたＬＥＤを駆動するＬＥＤ点灯回路６２、出口温度センサ３５、雰囲気温度センサ３９、回転センサ３４を含む回転数検出回路６３、電子ブザーを駆動するブザー回路６４、商用電源に接続された電源回路６５、商用電源のゼロクロス点を検出する商用電源ゼロクロス信号検出回路６６、モータ２７、ヒータ２５及び乾燥運転が終了した後に自動的に電力供給を遮断するためのオートパワーオフ回路（ＡＰＯ）６７を駆動するための負荷駆動回路６８、マスタークロック信号を生成するクロック発振回路６９、リセット回路７０、並びに、電流検出回路７１が接続されている。
【００２６】
図３は、本実施例の衣類乾燥機１の乾燥運転全体の処理の流れを、マイコン５０の制御動作を中心にして示したフローチャートである。図３に示すように、操作パネル３６中の電源キーがＯＮされると（ステップＳ１）、マイコン５０はリセット回路７０からのリセット信号を受けて初期設定を実行し（ステップＳ２）、これにより各種フラグや変数等がリセットされる。使用者により衣類がドラム１３内へ収容されスタートキーが押されると（ステップＳ３）、乾燥運転を開始する。すなわち、まずマイコン５０はモータ２７をＯＮし、初期目標回転速度を例えば１２５０ｒｐｍに設定してモータ２７を始動させる（ステップＳ４）。これにより、モータ２７の回転速度は目標回転速度にまで急速に上昇し、ドラム１３及び両面ファン２０はそれぞれの減速比により定まった所定の回転速度（例えばドラム１３は約４１ｒｐｍ、両面ファン２０は約８１０ｒｐｍ）にて回転する。
【００２７】
次いで、マイコン５０は温度条件等によりヒータ２５のＯＮ／ＯＦＦ状態を決定し、それに応じてヒータ２５に通電を行なうヒータ制御処理を実行する（ステップＳ５）。更に、マイコン５０はモータ２７の回転制御処理を行なう（ステップＳ６）。具体的には、マイコン５０は、電流検出回路７１により検出されたモータ２７及びヒータ２５を含む電源電流に比例したアナログ値の信号を受け、これをＡ／Ｄ変換器５５にてデジタル値に変換し、これが所定の値となるようにモータ２７の目標回転速度を修正する。ヒータ２５に正特性サーミスタを用いる場合、両面ファン２０の回転速度が大きく送風量が多いとヒータ２５に流れる電流が増加し、逆に送風量が少ないとヒータ２５に流れる電流は減少する。従って、上述のようにしてモータ２７の回転速度を調整することにより、電源電流が過大に流れることを防止している。
【００２８】
マイコン５０は、このようなヒータ２５及びモータ２７の制御を行なった後に乾燥運転が終了したか否かを判定し（ステップＳ７）、終了していない場合にはステップＳ４へと戻りステップＳ４〜Ｓ７の処理を繰り返し実行する。
【００２９】
図５（ａ）は、本実施例の衣類乾燥機における出口温度センサ３５にて検出される出口温度Ｔ1、及び、雰囲気温度センサ３９にて検出される基板温度Ｔ2の、乾燥運転時間に対する変化を示す図である。上記のように乾燥運転が実行されると、出口温度Ｔ1は曲線Ｌ1のように変化する。すなわち、予熱期間〔ｉ〕では、与えられた熱量が乾燥機本体や水分を多く含んだ衣類そのものの温度を高めるために費やされるため、出口温度Ｔ1は緩やかに上昇する。続く恒率乾燥期間〔ii〕では、与えられた熱量の殆どが衣類の中の水分を蒸発させるために費やされるため、出口温度Ｔ1はほぼ一定に推移する。減率乾燥期間〔iii〕では、与えられた熱量が、水分の蒸発のみならず水分が減った衣類そのもの或いは乾燥機本体の温度上昇にも費やされるため、出口温度Ｔ1は再び上昇する。
【００３０】
一方、基板温度Ｔ2は曲線Ｌ2のように変化する。すなわち、基板温度Ｔ2は、運転開始から暫くの間は緩やかに上昇し、或る程度時間が経過するとほぼ一定に推移する。これは、雰囲気温度センサ３９が取り付けられている制御基板３８が、周囲温度そのものには影響を受けるがその急激な変化の影響は受けにくい熱容量の大きな部材であるため、基板温度Ｔ2の変化は制御基板３８に実装されている各電気部品の放熱に殆ど依存しているからである。
【００３１】
このため、出口温度Ｔ1と基板温度Ｔ2との温度差Ｔは、図５（ｂ）に示す曲線Ｌ3のように変化する。すなわち、当初は緩やかに上昇し、予熱期間〔ｉ〕の終端付近で最高となった後に緩やかに減少し、その後、ほぼ一定に推移する。そして、減率乾燥期間〔iii〕において出口温度Ｔ1が上昇するに伴い温度差Ｔも徐々に上昇する。
【００３２】
上記ステップＳ７における乾燥運転の終了は、例えば、温度差Ｔが予め設定された所定値Ｔbに到達したとき、所定の乾燥運転時間が経過したときに、或いは、出口温度Ｔ1が所定温度Ｔa（例えば８０℃）に到達した後にヒータ２５のＯＮ／ＯＦＦ制御により該温度をほぼ一定に維持して所定時間が経過したとき、のいずれかにおいて行なわれる。乾燥運転終了後には、引き続き後述のようなクールダウン運転を実行し（ステップＳ８）、クールダウン運転が終了したならば（ステップＳ９）モータ２７をＯＦＦして全ての処理を終了する。
【００３３】
次に、上記ステップＳ８のクールダウン運転の制御処理を図４のフローチャートに沿って詳述する。クールダウン運転が開始されると、マイコン５０はヒータ２５をＯＦＦする一方、モータ２７をＯＮした状態に保つ（ステップＳ１０）。そして、マイコン５０はクールダウン運転時間を決定する（ステップＳ１１）。すなわち、ドラム出口温度Ｔ1と乾燥運転時間ｔ1との二つをパラメータとして、図６に示すようなテーブルからクールダウン運転時間を選択する。このようなテーブルはＲＯＭ５２に予め格納されている。ここで、乾燥運転時間ｔ1は、乾燥運転が開始されてからドラム出口温度Ｔ1が所定温度Ｔa（例えば８０℃）に到達する迄の所要時間ｔa、又は温度差Ｔが所定値Ｔbに達する迄の所要時間ｔbのいずれか短い方の所要時間ｔに対し、この所要時間ｔが３０分未満の場合にはｔ1＝０分、３０分以上６０分未満の場合にはｔ1＝３０分、６０分以上９０分未満の場合にはｔ1＝６０分、９０分以上の場合にはｔ1＝９０分とする。
【００３４】
上記所要時間ｔが長いときには、例えばドラム１３内の衣類の量が多い等、熱容量が大きいと考えられる。このような場合、衣類を冷却するためにもより長い時間を要すると判断できるので、予めクールダウン運転時間を長く設定する。また、クールダウン運転初期のドラム出口温度Ｔ1が高い場合にも、衣類を冷却するためにより長い時間を要すると判断できるので、予めクールダウン運転時間を長く設定する。上記クールダウン運転時間がタイマ５４に含まれる運転時間タイマに設定されると、計時が開始される（ステップＳ１２）。
【００３５】
次いで、マイコン５０はドラム出口温度Ｔ1が４０℃未満であるか否かを判定する（ステップＳ１３）。出口温度Ｔ1が４０℃未満に下がっていないと判定されると、タイマ５４に含まれる１０秒タイマ（１０秒間をカウントするタイマ）をリセットし（ステップＳ１７）、運転時間タイマの残り時間が１分以内であるか否かを判定する（ステップＳ１８）。残り時間が１分を越えていると判定されるとステップＳ１３へと戻り、ドラム出口温度Ｔ1が４０℃未満であるか否かを再び判定する。上記ステップＳ１８にて残り時間が１分以内であると判定されると、次いでドラム出口温度Ｔ1が５０℃を越えているか否かを判定する（ステップＳ１９）。出口温度Ｔ1が５０℃を越えていると判定されると、１０秒タイマの計時を開始し（ステップＳ２０）、該１０秒タイマの計時が終了したか否かを判定する（ステップＳ２１）。計時が終了していない場合には、運転時間タイマの計時が終了したか否かを判定する（ステップＳ２６）。
【００３６】
上記ステップＳ２６にて運転時間タイマの計時が終了していないと判定されるとステップ１９へと戻る。一方、上記ステップＳ１９にて出口温度Ｔ1が５０℃以下であると判定されると、１０秒タイマをリセットした後に（ステップＳ２５）、運転時間タイマの計時が終了したか否かを判定する（ステップＳ２６）。従って、ステップＳ２１にて１０秒タイマの計時が終了したと判定されたときは、ドラム出口温度Ｔ1が５０℃を越えた状態が１０秒継続したことを意味する。この場合には、運転時間タイマの残り時間に３分を加算することにより、クールダウン運転時間を３分間延長する（ステップＳ２２）。そして、延長回数カウンタ値Ｃを１だけカウントアップし（ステップＳ２３）、該カウンタ値Ｃが８以下であるか否かを判定する（ステップＳ２４）。なお、該カウンタ値Ｃは上記ステップＳ２の初期設定時又はその後の適当な時点で零にリセットされている。上記ステップＳ２４にて計数値Ｃが８以下であると判定されたときにはステップＳ１３へと戻る。従って、上記のような運転時間の延長は８回まで行なわれ、計数値Ｃが９であったときにはステップＳ２４からＳ１６へ進み、モータ２７をＯＦＦして運転を終了する。
【００３７】
上記ステップＳ１３にてドラム出口温度Ｔ1が４０℃未満であると判定されると、１０秒タイマの計時を開始し（ステップＳ１４）、該１０秒タイマの計時が終了したか否かを判定する（ステップＳ１５）。計時が終了していない場合には、ステップＳ１３へ戻る。従って、上記ステップＳ１５にて計時が終了したと判定されるのは、出口温度Ｔ1が４０℃未満の状態が１０秒継続したときである。このときには、ドラム１３内の衣類の温度が十分に下がったと判断できるので、ステップＳ１６に進み、モータ２７をＯＦＦして運転を終了する。
【００３８】
以上のように、本実施例の衣類乾燥機では、(1)ドラム出口温度Ｔ1が１０秒連続して４０℃未満であったとき（つまり、図４にてステップＳ１３→Ｓ１４→Ｓ１５→Ｓ１６と処理が進んだとき）、或いは、(2)クールダウン運転時間が終了する時点の１分以内にドラム出口温度Ｔ1が１０秒連続して５０℃を越えることなく該運転時間が終了したとき（つまり、図４にてステップＳ１９→Ｓ２５→Ｓ２６→Ｓ１６と処理が進んだとき）、のいずれかの場合にドラム１３内の衣類の温度が十分に下がったと判断してクールダウン運転が終了される。
【００３９】
また、(3)クールダウン運転時間が終了する時点の１分以内にドラム出口温度Ｔ1が１０秒連続して５０℃を越えたために該運転時間を３分間延長し、これを８回繰り返したとき（つまり、図４にてステップＳ２２→Ｓ２３→Ｓ２４→Ｓ１６と処理が進んだとき）には、周囲温度等の条件により、これ以上クールダウン運転を継続しても温度が下がらないと判断してクールダウン運転を終了する。
【００４０】
なお、上記実施例中の数値は一例であって、これに限定されるものではない。また、上記実施例は一例であって、本発明の趣旨に沿った範囲で適宜変形や修正を行なえることは明らかである。
【図面の簡単な説明】
【図１】  本発明の一実施例である衣類乾燥機の側面縦断面図。
【図２】  上記衣類乾燥機の電気系構成図。
【図３】  この衣類乾燥機における乾燥運転全体の処理のフローチャート。
【図４】  この衣類乾燥機におけるクールダウン運転処理のフローチャート。
【図５】  乾燥運転時の出口温度と基板温度の運転時間に対する変化を示す図。
【図６】  クールダウン運転時間を決定する際に用いるテーブルの一例を示す図。
【符号の説明】
１３…ドラム                ２５…ヒータ
２７…モータ                ３５…出口温度センサ
３９…雰囲気温度センサ      ５０…マイコン
６８…負荷駆動回路
【図１】
0003767980.tif 000002
【図２】
0003767980.tif 000003
【図３】
0003767980.tif 000004
【図４】
0003767980.tif 000005
【図５】
0003767980.tif 000006
【図６】
0003767980.tif 000007